Podtech/llm-jp-corpus-v4-ja_patent huggingface dataset:
(57)【要約】本発明は、置換されたベンズアルデヒドをヨウ素化するための改良された方法に関する。【特許請求の範囲】
【請求項１】
４−フルオロベンズアルデヒドとＮ−ヨードスクシンイミドとを酸媒体中で合わせることにより、４−フルオロ−３−ヨードベンズアルデヒドを製造する方法。
【請求項２】
該酸が有機酸である、請求項１に記載の方法。
【請求項３】
該有機酸がトリフルオロメタンスルホン酸である、請求項２に記載の方法。
【請求項４】
該酸が無機酸である、請求項１に記載の方法。
【請求項５】
該無機酸が、硝酸、硫酸、及び塩酸からなる群から選択される、請求項４に記載の方法。
【請求項６】
該酸が、酢酸と組み合わされた無機酸である、請求項１に記載の方法。
【請求項７】
該無機酸／酢酸の組み合わせが、１：１の比率にある、請求項４に記載の方法。
【発明の詳細な説明】
【背景技術】
【０００１】
カリウムチャンネルは、細胞膜の興奮の調整において、重要な役割を果たす。カリウムチャンネルが開くときに、細胞膜を横切って電位に変化が生じ、その結果としてさらなる分極状態となる。多くの病気又は病状が、カリウムチャンネルを開く治療剤によって治療され得る；例えば、（Ｋ．Ｌａｗｓｏｎ，Ｐｈａｒｍａｃｏｌ．Ｔｈｅｒ．，第７０巻，３９−６３頁（１９９６））；（Ｄ．Ｒ．Ｇｅｈｌｅｒｔ等，Ｐｒｏｇ．Ｎｅｕｒｏ−Ｐｓｙｃｈｏｐｈａｒｍａｃｏｌ  ＆  Ｂｉｏｌ．Ｐｓｙｃｈｉａｔ．，第１８巻，１０９３−１１０２頁（１９９４））；（Ｍ．Ｇｏｐａｌａｋｒｉｓｈｎａｎ等，Ｄｒｕｇ  Ｄｅｖｅｌｏｐｍｅｎｔ  Ｒｅｓｅｒｃｈ，第２８巻，９５−１２７頁（１９９３））；（Ｊ．Ｅ．Ｆｒｅｅｄｍａｎ等，Ｔｈｅ  Ｎｅｕｒｏｓｃｉｅｎｔｉｓｔ，第２巻，１４５−１５２頁（１９９６））；（Ｄ．Ｅ．Ｎｕｒｓｅ等，Ｂｒ．Ｊ．Ｕｒｏｌ．，第６８巻  ２７−３１頁（１９９１））；（Ｂ．Ｂ．Ｈｏｗｅ等，Ｊ．Ｐｈａｒｍａｃｏｌ．Ｅｘｐ．Ｔｈｅｒ．，第２７４巻  ８８４−８９０頁（１９９５））；（Ｄ．Ｓｐａｎｓｗｉｃｋ等，Ｎａｔｕｒｅ，第３９０巻  ５２１−２５頁（１９９７年１２月４日））；（Ｄｏｍｐｅｌｉｎｇ  Ｖａｓａ．Ｓｕｐｐｌｅｍｅｎｔｕｍ（１９９２）３４３４）；（ＷＯ９９３２４９５）；（Ｇｒｏｖｅｒ，Ｊ  Ｍｏｌ  Ｃｅｌｌ  Ｃａｒｄｉｏｌ．（２０００）３２，６７７）；及び（Ｂｕｃｈｈｅｉｔ，Ｐｕｌｍｏｎａｒｙ  Ｐｈａｒｍａｃｏｌｏｇｙ  ＆  Ｔｈｅｒａｐｅｕｔｉｃｓ（１９９９）１２，１０３）を参照されたい。前記の病気又は病状には、喘息、癲癇、男性機能障害、女性機能障害、疼痛、膀胱過活動、脳卒中、レイノー現象及び間欠性跛行のような骨血流量の減少に伴う病気、摂食障害、機能性腸疾患、神経変性、良性前立腺過形成（ＢＰＨ）、月経困難症、早産、脱毛、心臓保護、冠動脈疾患、アンギナ、虚血、及び失禁が含まれる。
【０００２】
４−フルオロ−３−ヨード−ベンズアルデヒドは、これまでに、スキーム１に示される５工程で合成された。要約すれば、４−フルオロ安息香酸（１）を、４−フルオロ−３−ニトロ安息香酸（２）に変換して、その後、対応するアミン（３）に還元する。さらに還元してアルコール（４）にして、引き続いてヨウ素化（５）し、酸化して、最終的にヨウ素化ベンズアルデヒド（６）とする。
【０００３】
【化１】
2005525350.tif 000002
【０００４】
４−フルオロ−３−ヨードベンズアルデヒドの他の合成方法は、スキームＩＩに示される。４−フルオロ−３−ブロモ−ベンズアルデヒドが出発原料としては比較的高価であり、本方法が低温条件を必要とすることから、本方法は不利である。
【０００５】
【化２】
2005525350.tif 000003
【発明の開示】
【０００６】
本発明は、カリウムチャンネル開口剤であるジヒドロピリジンの合成に有用な中間体の合成方法に関する。
【０００７】
（発明の詳細な説明）
本発明は、４−フルオロ−ベンズアルデヒドのヨウ素化による４−フルオロ−３−ヨード−ベンズアルデヒドの効率的な合成に関する。４−フルオロ−３−ヨード−ベンズアルデヒドは、カリウムチャンネル開口剤である５−（４−フルオロ−３−ヨードフェニル）−５，１０ジヒドロ−１Ｈ，３Ｈ−ジピラノ［３，４−ｂ：４，３−ｅ］ピリジン−４，６（７Ｈ，９Ｈ）ジオンの製造における鍵となる中間体である。
【０００８】
本発明は、ベンズアルデヒドのヨウ素化のための改良された方法に関する。スキームＩＩＩに示されるように、この改良された方法は、１工程の手順での４−フルオロ−３−ヨード−ベンズアルデヒドの合成を可能にする。４−フルオロ−３−ヨードベンズアルデヒドは、４−フルオロベンズアルデヒドとＮ−ヨードスクシンイミドとを酸媒体中で合わせることによって合成される。好ましくは、４−フルオロ−３−ヨードベンズアルデヒドとＮ−ヨードスクシンイミドは、それぞれ１：１．２の当量比にある。
【０００９】
本発明における使用に適した酸には、有機酸及び無機酸が含まれる。本発明における使用に適した有機酸の例には、トリフルオロメタンスルホン酸が含まれるがこれに限定されない。
【００１０】
無機酸も同様に、本発明における使用に適している。本発明における使用に適した無機酸には、硝酸、硫酸、及び塩酸が含まれるがこれらに限定されない。
【００１１】
上記無機酸は、また、酢酸と組み合わせて使用されてもよい。酢酸は溶解性の目的で使用される。強無機酸／酢酸の組み合わせが、本発明における使用に適している。好ましくは、無機酸／酢酸の組み合わせは、１：１の比率にある。
【００１２】
【化３】
2005525350.tif 000004
【実施例１】
【００１３】
４−フルオロベンズアルデヒド（４０．０ｇ）、Ｎ−ヨードスクシンイミド（８７．１ｇ）、及び酢酸（８０ｍＬ）をフラスコに添加した。４０℃より低い温度に維持して、硫酸（８０ｍＬ）をゆっくりと添加する。得られた混合物を４０℃で２．５時間攪拌して、その後、１０℃に冷却した後に、３５℃より低い温度に維持しながら、水（４００ｍＬ）を添加した。室温で３０分間攪拌した後、スラリーを濾過し、得られた固形物を水（８０ｍＬ）で洗浄した。ウエットケーキを３８０ｇの酢酸エチル／ヘプタン（１：１ｖ／ｖ  ２５０ｐｐｍのＢＨＴを含有）に溶解し、溶液を、１０％チオ硫酸ナトリウム水溶液（２０４ｇ）で洗浄し、その後１０％炭酸ナトリウム水溶液（２１４ｇ）で洗浄し、続けて２００ｇの水で洗浄した。
【００１４】
溶液を濃縮して約４０ｍＬにして、１４８ｇのヘプタン（ＢＨＴを含有）を添加した。これを再び蒸留して約４０ｍＬにして、全ての酢酸エチルを除去した。ヘプタン（２６５ｇ）を添加して、得られた混合物を５５℃に加熱して、固形物を溶解させた。溶液を約４０℃に冷却し、種結晶を添加した。温度が５℃になるまで冷却を続け、その後、スラリーを濾過した。ウエットケーキを冷ヘプタンで洗浄し、その後、生成物を４０℃の真空オーブンで乾燥した。
【国際調査報告】
2005525350.tif 000005
2005525350.tif 000006
2005525350.tif 000007
(57)【要約】スコアカード１を収容するための袖が設けられている。このスコアカード１は、外面１と１本の縁テープだけを形成する内面３との間に挿入可能である。その結果、内面３の内部の切抜部分を通じてスコアカード１に書く込むためにこのスコアカード１に触ることができる。
2005525249.tif 000002
【特許請求の範囲】
【請求項１】
スコアカード（１）を収容する袖であって、この場合、このスコアカード（１）は、密閉された外面（２）とスコアカード（１）を見ることのできる内面（３）との間に配置されていて、折り畳んだ後に分割された内面の半分と半分が、一重の折返部（４）によって対向し、この場合、スコアカード（１）は、開いた後にその印刷された領域を再び目視可能である袖において、内面（３）は、スコアカード（１）の書き込むべき部分を露出させる切抜部分（６）を有すること、及び、切抜部分（６）の少なくとも１つの縁部が、外面（２）の内側に面した内面（３）によって保持されて、スコアカード（１）を保持することを特徴とする袖。
【請求項２】
折り畳められた部分を保持するための手段が重なって存在することを特徴とする請求項１に記載の袖。
【請求項３】
縁領域に沿って配置された面テープが、手段として使用されることを特徴とする請求項２に記載の袖。
【請求項４】
留め板等が、手段として使用されることを特徴とする請求項２に記載の袖。
【請求項５】
外面（２）は、情報の目的で、特に宣伝の目的で印刷されていることを特徴とする請求項１〜４のいずれか１項に記載の袖。
【請求項６】
革が、袖の材料として使用されることを特徴とする請求項１〜５のいずれか１項に記載の袖。
【請求項７】
外面と内面との間にスコアカード（１）を挿入するためのスリット（５）が、この外面（２）とこの内面（３）との間の縁面に沿って設けられていることを特徴とする請求項１〜６のいずれか１項に記載の袖。
【発明の詳細な説明】
【技術分野】
【０００１】
本発明は、スコアカードを収容するための袖(Huelle)に関する。この場合、スコアカードが、請求項１の構成にしたがって密閉された外面とスコアカード用に覗くことのできる内面との間に配置されている。
【背景技術】
【０００２】
このスコアカードの公知の問題は、ゴルフのようなレジャースポーツの場合に湿度の高い又は完全に雨模様の天気でプレーすることが珍しくなく、保護されていないスコアカードが湿気によって皺だらけになるか又は柔らかくなる点にある。それぞれのプレーヤーが、このスコアカード上に結果を記入する。そのため、データの記入が著しく困難であり、既に記入したデータもこれにより消失してしまうことがありうる。さらにその結果、使用料の著しい損失になりうる。これらのデータは、これらの使用料の計算に必要である。
【０００３】
このような種類の公知の袖（ドイツ連邦居和国実用新案第20012340号明細書）の場合、袖が、水密に溶着された１枚のフィルムから形成される。スコアカード上の記入用紙に対向するこの袖のこのフィルムの内面が、１つの膜を有する。この膜は、２成分にマイクロカプセルされた（カーボン紙等を使って）自動複写する機構から成る。
【０００４】
鉛筆を外側から力を入れてフィルム上に押し付けることによって、マイクロカプセルが破壊され、書き込まれる数や文字がスコアカード上に鮮明に現れる。このような新しい袖が、ゴルフのプレーごとに使用されなければならないということから見ると、このような装置は極めて経費がかかる。何故なら、これらのマイクロカプセルの一部が、使用者によって既に破壊されているからである。さらに多くの場合、修正をスコアカード上でしなければならない。この場合、先の記入は、消されなければならないか又は修正されなければならない。このことは、このようなフィルムのポケット状の袖ではほとんど不可能である。
【発明の開示】
【発明が解決しようとする課題】
【０００５】
これに対して請求項１の特徴を有する本発明の袖には、袖が一方では湿気から保護するスリットを外側に沿って有し、一重に開いた後でもスコアカードを直に触ることができ、特にこのような装置をズボンのポケット又は上着のポケットの中に容易に入れることができるという利点がある。このような折り畳まれたスコアカードの大きさは、せいぜいＤＩＮＡ６である、すなわち例えばより大きい封筒の程度の大きさである。
【０００６】
本発明の好適な構成によれば、袖を折り畳められている状態で保持するための手段が設けられている。この場合、この手段は、本発明により、少なくとも一部を包囲する面テープの形態で存在してもよいし又は例えば面テープ付の留め板の形態で存在してもよい。本発明のさらに好適な構成によれば、外面が、情報の目的で、特に宣伝の目的で印刷されている。この印刷は、例えばナンバリング，名前やその他の任意の宣伝情報である。
【０００７】
本発明のさらに好適な構成によれば、革又は革に類似の材料が、袖の材料として使用される。この革又は革に類似の材料は、防水の目的で化学溶液を染み込ませているか又は吸湿性でない。したがって、ハンディーキャップやその他の結果を知った直後に筆記用具、例えば鉛筆を使用できるように、この筆記用具、例えば鉛筆をこのような袖に沿って対応する袖等にわたって取り付けることができる。
【０００８】
本発明のその他の利点及び好適な構成は、以下の説明，図面及び特許請求の範囲に記載されている。
【０００９】
以下に、本発明の構成の実施の形態を図面に基づいて詳しく説明する。
【発明を実施するための最良の形態】
【００１０】
図中に示されたスコアカード１用の袖は、外面１及び内面３を有し、縁部４を軸線にして折り畳み可能である。
【００１１】
開かれた状態では、スコアカードが、横スリット５を通じて両面２，３の間に袖に沿って挿入され得る。この場合、内面３の切抜部分６にわたるこのスコアカードの印刷された領域が、示されたように直接触ることができ、これによって書き込み可能である。完全に折り畳んだ場合、スコアカード１が、外部の影響、特に湿気から保護されている。このとき、折り畳むことによって形成された内面３の半分と半分とが対向する。一方では外部に対して密閉し、他方では与えられた折り畳みを維持するため、面テープが、内面３のその他の部分としてのこの縁テープ上に設けられている。スコアカード１を記述するためには、それに応じて面テープが解除される。
【００１２】
全ての特徴が、個々にも任意に互いに組み合わせても本発明で重要であり得る。
【図面の簡単な説明】
【００１３】
【図１】本発明の構成の実施の形態を簡単に示す。
【符号の説明】
【００１４】
１  スコアカード
２  外面
３  内面
４  縁部，折返部
５  横スリット
６  切抜部分
７  面テープ
【図１】
2005525249.tif 000003
【国際調査報告】
2005525249.tif 000004
2005525249.tif 000005
2005525249.tif 000006
2005525249.tif 000007
2005525249.tif 000008
2005525249.tif 000009
(57)【要約】酸化ジルコニウムをベースとする従来の断熱層は、高温での焼結に伴い収縮し、膨張許容差を失う。本発明の酸化ジルコニウムをベースとした断熱層は、その膨張許容差の低下を防止するため酸化ジルコニウムより低い焼結ポテンシャルを示す添加物を含む。この低い焼結ポテンシャルに伴い、酸化ジルコニウムの素地の焼結時、添加物は収縮しないか、収縮しても極く僅かであることから、断熱層に亀裂ないし空洞が生じて膨張許容差を保持する。【特許請求の範囲】
【請求項１】
特にガスタービンに被着する断熱層において、この断熱層の素地成分に、その素地成分よりも低い焼結ポテンシャルを示す成分が混合されたことを特徴とする断熱層。
【請求項２】
素地成分にパイロクロアが混合されたことを特徴とする請求項１記載の断熱層。
【請求項３】
上記パイロクロアがＬａ2ＺｒＯ7又はＬａ2Ｈｆ2Ｏ7の組成を有することを特徴とする請求項２記載の断熱層。
【請求項４】
この素地成分にペロブスカイトが混合されたことを特徴とする請求項１記載の断熱層。
【請求項５】
上記ペロブスカイトがＣａＺｒＯ3又はＬａＡｌＯ3の組成を有することを特徴とする請求項４記載の断熱層。
【請求項６】
この素地成分にスピネルが混合されたことを特徴とする請求項１記載の断熱層。
【請求項７】
上記スピネルがＭｇＺｒ2Ｏ4又はＭｇＡｌ2Ｏ4又はＮｉＡｌ2Ｏ4の組成を有することを特徴とする請求項６記載の断熱層。
【請求項８】
上述の添加物が１０〜５０Vol％の組成比を示すことを特徴とする請求項１記載の断熱層。
【請求項９】
特にガスタービン内に被着する断熱層において、この断熱層に、その被着温度で微細な亀裂又は微細な空隙が形成されるように、素地成分に対し異なる熱膨張率を示す材料が混合されたことを特徴とする請求項１記載の特にガスタービンに使用される断熱層。
【請求項１０】
素地成分が完全に又は部分的に安定化された酸化ジルコニウムであることを特徴とする請求項１又は９記載の断熱層。
【請求項１１】
素地成分が酸化アルミニウムであることを特徴とする請求項１又は９に記載の断熱層。
【請求項１２】
請求項１乃至９に記載の断熱層を有する構造部材。
【発明の詳細な説明】
【技術分野】
【０００１】
本発明は、請求項１に記載の断熱層に関する。
【０００２】
断熱層は、例えばガスタービンのタービン翼等の熱負荷される構造部材上に、例えばこの部材の熱に敏感な金属基板を、熱から保護すべく施される。この断熱層は、例えば酸化ジルコニウムや酸化イットリウムで部分的に安定化された酸化ジルコニウムからなる。
【０００３】
その断熱層と基板との間には、更にしばしばＭＣｒＡｌＹから成る接着仲介層、つまり拡散層が被着されている。
【０００４】
欧州特許第１０２９１０１号明細書は、その組成がＬａＡｌＯ3、つまりペロブスカイトである断熱層を開示している。
【０００５】
米国特許第５３１０５７５号明細書は、スピネルの素地成分に酸化ジルコニウムを混合した物質を記載している。
【０００６】
英国特許第７４５２５７号明細書は、スピネル、パイロクロア又は酸化ジルコニウムからなる断熱層を開示している。
【０００７】
米国特許第５９１４１８９号明細書は、スピネルとジルコン酸カルシウム（ＣａＺｒＯ3）の添加物からなる断熱層を開示している。
【０００８】
運転時、断熱層と基板の異なる熱膨張率に基づき応力が生じるが、この応力で層が無能化することはない。それは一定の膨張許容差が、プラズマ溶射の際に目標通りに調整された断熱層の微細な空隙により生ずるからである。電子ビームによる物理蒸着（ＥＢ−ＰＶＤ）層の場合、膨張を許容するステム型構造が生じる。しかしこの層は約１０００℃又はそれ以上の高温で焼結すると膨張許容差を失い、そのため機能しなくなる懸念がある。
【０００９】
従って本発明の課題は、上述した問題を克服する断熱層を提供することにある。
【００１０】
この課題は、請求項１に記載の断熱層により解決される。
【００１１】
上記断熱層の他の有利な実施形態については従属請求項に順次記載してある。
【００１２】
本発明による断熱層は、例えば酸化ジルコニウムや酸化アルミニウムのような素地成分と、断熱層の被着温度に対し低い焼結ポテンシャルを示す少なくとも1つの添加成分から成る混合物でできている。
【００１３】
このような添加成分は、１０〜５０Vol％の、例えばＬａ2Ｚｒ2Ｏ、Ｌａ2Ｈｆ2Ｏ7        のようなパイロクロア、例えばＣａＺｒＯ3、ＬａＡｌＯ3のようなペロブスカイト並びに例えばＭｇＣｒ2Ｏ4、ＭｇＡｌ2Ｏ4、ＮｉＡｌ2Ｏ4のようなスピネルからなるセラミックス系であると有利である。
【００１４】
上記の素地成分は、例えば酸化ジルコニウム（ＺｒＯ2）又は部分的に安定化された酸化ジルコニウム（ＺｒＯ2と７〜８％の酸化イットリウム（Ｙ2Ｏ3））又は他のセラミックスでできている。酸化ジルコニウムに添加物を加えることで、高温域での膨張許容差の自動調整が達成される。但し例えば使用した添加物の膨張率は、当然酸化ジルコニウム層の膨張率以上でも、以下でもない。酸化ジルコニウムの素地の焼結時、即ちこの素地が収縮する際、局部的に膨張許容差は酸化ジルコニウムから成る部分域内で著しく減少する。しかし添加物の粒子と酸化ジルコニウムの粒子の間に、高温での被着中に酸化ジルコニウム成分中に失われた膨張許容差を補償する付加的亀裂及び空洞が形成される。何故なら、それら添加物は、仮に熱膨張率が同水準であっても焼結せず、つまり収縮しないか又は極く僅かに収縮するに過ぎないからである。
【００１５】
この添加成分の熱膨張率の作用は以下に記載する通りである。
【００１６】
素地成分が高温時に添加物よりも著しく膨張すると、一時的に圧縮応力が生じるが、しかしこの応力は緩和する。即ち、焼結プロセスが始まると、再度亀裂、即ち空隙が生じ、空隙率を増大させる。
【００１７】
高温時に素地成分が添加物よりも僅かに膨張すると、素地の焼結に伴い素地成分の延性は、素地と添加物との間に付加的な亀裂を生じ、該亀裂はその生成ないし多孔化に伴い失われた素地成分延性を補償する。
【００１８】
つまり、この断熱層中の微細な空隙／微細な亀裂は、低い焼結ポテンシャルを有する添加物により及び／又は素地と添加物の異なる膨張率によって得られる。
【００１９】
添加物の適宜の選択により、電子ビーム―物理蒸着（ＥＢ−ＰＶＤ）層における断熱層組織に必要な空隙及びステム状構造の噛合せの削減を達成可能な微細構造が得られる。
【００２０】
更に酸素の侵入量を低減でき、従ってＭＣｒＡｌＹ層の酸化も低減できる。
【国際調査報告】
2005525472.tif 000002
2005525472.tif 000003
2005525472.tif 000004
2005525472.tif 000005
(57)【要約】  センサー（１８、２０、２２）及びインタラクティブディスプレイ（１２）がガソリン駆動エアレス区画線塗装機に加えられ、操作者に操作パラメータに関する様々な情報を提供することができる。クラッチを介して圧力をコントロールするために必要な圧力センサー／トランスデューサー（１４）に加え、本システムにはポンプのストローク数又は駆動軸回転数を計数するためのセンサー（好ましい実施形態においてはリードスイッチ）（１８）と、ガンのトリガーがアクティブになっている時をモニターするセンサー（２２）と、車輪の回転をモニターするセンサー（好ましい実施形態においては車輪に設けられたギヤからのパルスを検出するホール効果センサー）（２６）と、が備えられている。測定値及び計算値を読み出すためのデジタルディスプレイ（１２）も備えられている。
2005515057.tif 000002
【特許請求の範囲】
【請求項１】
ポンプと回転する車輪とガンのトリガーとを有するエアレス区画線塗装機のためのコントロールシステムであって、
ポンプのストローク数又は駆動軸回転数を計数するためのポンプセンサーと、
ガンのトリガーがアクティブになっている時をモニターするガントリガーセンサーと、
車輪の回転をモニターする車輪回転センサーと、
操作者に操作パラメータに関する様々な情報を提供するインタラクティブディスプレイと、
を有するコントロールシステム。
【請求項２】
前記エアレス区画線塗装機は前記コントロールシステムに電源を供給するコイル電源を有するガソリンエンジンによって駆動する請求項１に記載のコントロールシステム。
【発明の詳細な説明】
【技術分野】
【０００１】
本願は＿年＿月＿日提出の米国出願番号第 号の利益を主張するものである。
【背景技術】
【０００２】
様々なエアレス区画線塗装機（airless line stripers）がよく知られているが、そのような機種の多くは、使用の際、有効な情報を得るために操作者側にかなりの計算作業を要求する。
【発明の開示】
【０００３】
センサー及びインタラクティブディスプレイがガソリン駆動エアレス区画線塗装機に加えられ、操作者に操作パラメータに関する様々な情報を提供することができる。クラッチを介して圧力をコントロールするために必要な圧力センサー／トランスデューサーに加え、本システムにはポンプのストローク数又は駆動軸回転数を計数するためのセンサー（好ましい実施形態においてはリードスイッチ）と、ガンのトリガーがアクティブになっている時をモニターするセンサーと、車輪の回転をモニターするセンサー（好ましい実施形態においては車輪に設けられたギヤからのパルスを検出するホール効果センサー）と、が備えられている。
【０００４】
測定値及び計算値を読み出すためのデジタルディスプレイも備えられている。ディスプレイ上のプッシュボタンによって操作者は様々なディスプレイモードを選ぶことができる。そして、測定単位や線幅のような入力値を本システムに入力したり、ジョブデータ（フィート、ガロン）をゼロにリセットしたり、諸機能をアクティブにすることもできる。
【０００５】
この一連のセンサー及びガソリンエンジンコイル電源が操作者の線幅に対する入力値と組み合わせられることによって、マイクロプロセッサベースのコントローラは、系統圧力、機械速度、スプレー動作有り又は無しで移動した距離（線長及び全移動距離）、スプレーされた塗料の量（スプレー圧力時における量又は全ての量）、未乾燥塗膜形成（移動平均又は累積平均）、エンジンの毎分回転数、クラッチ周期、エンジン時間、クラッチ時間、洗浄のためのシャットオフ時刻、流速情報、及びガンのトリガー数を含む広範な情報を計算表示できる。
【０００６】
こうした情報が得られる状態においては、区画線塗装機の操作者は、安定した設定値と操作中のモニター出力値に合うように自分の機械を設定し、望ましい結果を達成することができる。また、区画線塗装機の操作者は、本システムを利用して仕事の見積もりをすることもできる。さらに、情報はメンテナンススケジュールのために利用することもできる。
【発明を実施するための最良の形態】
【０００７】
本発明に係る上記以外の様々な目的や利点が、添付図面と併せて行われる以下の説明から十二分に現れるだろう。その中では、同様の参照文字はいくつかの図面を通じて同等あるいは類似の部材を参照するものとする。
【実施例】
【０００８】
センサー及びインタラクティブディスプレイ１２がガソリン駆動エアレス区画線塗装機１０に加えられ、操作者に操作パラメータに関する様々な情報を提供することができる。クラッチ１６を介して圧力をコントロールするために必要な圧力センサー／トランスデューサー１４に加え、本システムにはポンプ２０のストローク数又は駆動軸回転数を計数するためのセンサー１８（好ましい実施形態においてはリードスイッチ）と、ガンのトリガー２４がアクティブになっている時をモニターするセンサー２２と、車輪２８の回転をモニターするセンサー２６（好ましい実施形態においては車輪に設けられたギヤからのパルスを検出するホール効果センサー）と、が備えられている。
【０００９】
測定値及び計算値を読み出すためのデジタルディスプレイ１２も備えられている。ディスプレイ上のプッシュボタンによって操作者は様々なディスプレイモードを選ぶことができる。そして、測定単位や線幅のような入力値を本システムに入力したり、ジョブデータ（フィート、ガロン）をゼロにリセットしたり、諸機能をアクティブにすることもできる。
【００１０】
この一連のセンサー及びガソリンエンジンコイル電源が操作者の線幅に対する入力値と組み合わせられることによって、マイクロプロセッサベースのコントローラは、系統圧力、機械速度、スプレー動作有り又は無しで移動した距離（線長及び全移動距離）、スプレーされた塗料の量（スプレー圧力時における量又は全ての量）、未乾燥塗膜形成（移動平均又は累積平均）、エンジンの毎分回転数、クラッチ周期、エンジン時間、クラッチ時間、洗浄のためのシャットオフ時刻、流速情報、及びガンのトリガー数を含む広範な情報を計算表示できる。
【００１１】
こうした情報が得られる状態においては、区画線塗装機の操作者は、安定した設定値と操作中のモニター出力値に合うように自分の機械を設定し、望ましい結果を達成することができる。また、区画線塗装機の操作者は、本システムを利用して仕事の評価見積もりをすることもできる。さらに、情報はメンテナンススケジュールのために利用することもできる。
【００１２】
センサー及びディスプレイシステムには、以下の請求項で定義される発明の精神と範囲から逸脱することなく様々な変更や修正が行われる可能性はあると考えられる。
【図面の簡単な説明】
【００１３】
【図１】図１は本発明のブロック図である。
【図１】
2005515057.tif 000003
【国際調査報告】
2005515057.tif 000004
(57)【要約】  使用者によって選択可能な圧力設定点を備えた電気的コントロール部（１２）を有するエアレススプレーヤ（１０）をコントロールするための方法によって、ポンプ（１４）によって展開される実効出口圧力がモニターされる。ポンプ出口圧力が設定点の選択可能なパーセント数まで降下すると、コントロール部は空のメッセージを表示して装置は停止する。
2005515341.tif 000002
【特許請求の範囲】
【請求項１】
使用者によって選択可能な圧力設定点を備えるコントロール部を有するポンプを保護する方法であって、
設定点を選択するステップと、
前記ポンプによって展開される実効出口圧力をモニターするステップと、
前記ポンプの出口圧力が前記設定点の予め決められたパーセント数まで降下する時点を決定するステップと、
エラー状態を知らせるための手段をとるステップと、
を有する方法。
【請求項２】
請求項１に記載の方法であって、
前記エラー状態を知らせるための手段は視覚的に知らせる機器を有する方法。
【請求項３】
請求項１に記載の方法であって、
前記エラー状態を知らせるための手段は音響的に知らせる機器を有する方法。
【請求項４】
請求項１に記載の方法であって、
前記エラー状態を知らせるための手段は装置にスプレー動作不能とさせることを有する方法。
【発明の詳細な説明】
【技術分野】
【０００１】
本願は＿年＿月＿日提出の米国出願番号第 号の利益を主張するものである。
【背景技術】
【０００２】
エアレススプレーヤとして、往復ピストンポンプが常用されている。典型的には、ポンプの吸入口は、例えば５ガロンバケツのような塗料容器内に配置される。従来より、このようなポンプは枯渇したまま運転するとパッキンその他のシール部分が故障するという認識がある。作業者は、スプレーヤから数百フィート離れていたり梯子の上にいたりする場合があるため、このような故障は、油断のない作業者にとっても起こり得る。
【発明の開示】
【発明が解決しようとする課題】
【０００３】
したがって、本発明の目的は、空になったり枯渇したりすることによる故障に耐性のあるエアレススプレーヤを提供することにある。
【課題を解決するための手段】
【０００４】
上記目的に向けて、エアレススプレーヤは使用者によって選択可能な（典型的には、零と最大圧力間で連続的に可変な）圧力設定点を有し、ポンプによって加えられる実効出口圧力をモニターする。出口圧力が、設定点の選択可能なパーセント数（好ましい実施形態においてはこのパーセント数は５０％である。）まで降下すると、コントロール部は空のメッセージを表示し、装置は停止する。もちろん、この機能を利用する能力は設定可能であり、望みであれば、ポンプが汲み上げるものがなくなってもそれにも関わらず運転し続けるようにすることもできる。
【０００５】
また、本発明のもう一つの実施形態は、使用者によって設定可能な時間長（好ましい実施形態においては４０秒）の間スプレーがオン位置でフル稼働状態のままとなるのを、さらにコントロール部が待ち受けるというものである。この状態は、ホースが破裂したりスプレーヤが空の容器から汲み上げようとしたりする場合に起こる可能性がある。この状態が検知されると、停止も行われる。この運転モードは上記パーセント運転モードに追加することもできる。
【発明を実施するための最良の形態】
【０００６】
本発明に係る上記以外の様々な目的や利点が、添付図面と併せて行われる以下の説明から十二分に現れるだろう。その中では、同様の参照文字はいくつかの図面を通じて同等あるいは類似の部材を参照するものとする。
【実施例１】
【０００７】
本目的に向けて、エアレススプレーヤ１０は使用者によって選択可能な（典型的には、零と最大圧力間で連続的に可変な）圧力設定点を備える電気的コントロール部１２を有し、ポンプ１４によって加えられる実効出口圧力をモニターする。出口圧力が、設定点の選択可能なパーセント数（好ましい実施形態においてはこのパーセント数は５０％である。）まで降下すると、コントロール部は空のメッセージを表示し（あるいは音響的警報を発し）、及び／又は装置は停止する。もちろん、この機能を利用する能力は設定可能であり、望みであれば、ポンプが汲み上げるものがなくなってもそれにも関わらず運転し続けるようにすることもできる。本発明の好ましい実施形態では往復ピストンポンプが考慮されているが、本発明の方法はダイヤフラムポンプや一軸ねじポンプ（progressive cavity pumps）のような他のポンプに対しても同等に適用可能である。
【実施例２】
【０００８】
本発明のもう一つの実施形態は、ホースが破裂したりスプレーヤが空の容器１６から汲み上げようとしたりする場合に起こる可能性がある、使用者によって設定可能な時間長（好ましい実施形態においては４０秒）の間スプレーがオン位置でフル稼働状態のままとなるのを、さらにコントロール部が待ち受けるというものである。この状態が検知されると、停止も行われる。この運転モードは上記パーセント数の運転モードに追加することもできる。
【０００９】
上記の方法には、以下の請求項で定義される発明の精神と範囲から逸脱することなく様々な変更や修正が行われる可能性はあると考えられる。
【図面の簡単な説明】
【００１０】
【図１】図１は本発明の概略図である。
【図１】
2005515341.tif 000003
【国際調査報告】
2005515341.tif 000004
2005515341.tif 000005
(57)【要約】コイル１と、前記コイル内に装着された磁性アクチュエータ部材３と、前記コイル周りに設置された磁性材料製の１つ以上のリング６と、前記リングの一端に当接し前記コイル外面にまたがって設置された１つ以上の永久磁石５とを備える電磁アクチュエータであって、前記永久磁石は、前記コイルの軸方向に沿って伸びる磁界を持っており、前記磁性アクチュエータ部材は、前記コイル内側で伸びる非磁性案内部材２内で摺動自在に装備され、前記リングは、非磁性ギャップによる間隔が設けられている磁石と向かい合う端部を持っていることを特徴とする、電磁アクチュエータ。
2005535106.tif 000002
【特許請求の範囲】
【請求項１】
コイル（１）と、前記コイル内に装着された磁性アクチュエータ部材（３）と、前記コイル周りに設置された磁性材料製の１つ以上のリング（６）と、前記リングの一端に当接し前記コイル外面にまたがって設置された１つ以上の永久磁石（５）とを備える電磁アクチュエータであって、
前記永久磁石は、前記コイルの軸方向に沿って伸びる磁界を持っており、
前記磁性アクチュエータ部材は、前記コイル内側で伸びる非磁性案内部材（２）内で摺動自在に装備され、
前記リングは、非磁性ギャップによる間隔が設けられている磁石と向かい合う端部を持っていることを特徴とする、電磁アクチュエータ。
【請求項２】
請求項１に記載の電磁アクチュエータであって、
前記永久磁石は、前記コイルを囲繞するリング（５）であることを特徴とする、電磁アクチュエータ。
【請求項３】
請求項１に記載の電磁アクチュエータであって、
前記永久磁石（５）は、磁性材料製の２つの前記リング（６）の間に設置されていることを特徴とする、電磁アクチュエータ。
【発明の詳細な説明】
【技術分野】
【０００１】
本発明は、永久磁石を持つ電磁アクチュエータに関する。
【背景技術】
【０００２】
米国特許第４２９５１１１には、その内部に磁性アクチュエータ部材が装備されている磁性体の周りに設置されたコイルを備える電磁アクチュエータが開示されている。そして、永久磁石がそのコイル周りに設置され、コイルの軸方向に沿って磁界が伸びている。
【発明の開示】
【発明が解決しようとする課題】
【０００３】
永久磁石は、磁性ボディと当接している磁性材料製の２つのリングの間に置かれている。これにより磁界が集中し、高水準の力が発生する。反対に、磁性アクチュエータ部材の行程は、かなり小さく、長い行程にするためには、アクチュエータの軸長さを増加させる必要がある。
【課題を解決するための手段】
【０００４】
本発明の目的は、コイルと、コイル内に装着された磁性アクチュエータ部材と、コイル周りに設置された磁性材料製の１つ以上のリングと、リングの一端に当接しコイル外面にまたがって設置された１つ以上の永久磁石とを備える電磁アクチュエータを提供するにある。永久磁石は、コイルの軸方向に沿って伸びる磁界を持っており、磁性アクチュエータ部材は、コイル内側で伸びる非磁性案内部材内で摺動自在に装備され、リングは、非磁性ギャップによる間隔が設けられている磁石と向かい合う端部を持っている。
【０００５】
そして、磁界は、全周でループしないで、磁性アクチュエータ部材の行程を長くするように、一部が開いている。そして、コイルへの電力供給量を適切に調節することにより、磁性アクチュエータ部材の位置を制御できる。
【発明を実施するための最良の形態】
【０００６】
図１に示すように、本発明に係る電磁アクチュエータは、従来と同様に、磁性アクチュエータ部材３が摺動自在に装着された非磁性材料のチューブ２の周りに固定されたコイル１を備えている。コイル１は、磁性アクチュエータ部材を駆動するためにコイルを起電あるいは除電する電力供給手段（図示せず）へ、電力線４を介してつながっている。
【０００７】
永久磁石、例えばその永久磁界がリング軸方向に伸びるフェライトリングで形成されたリング５は、コイル外面の中央部にまたがるようにコイルの周りに置かれている。リング５により発生する磁界は、コイル１の軸方向に伸びる。リング５は、磁性材料、例えば軟鉄製の２つのリング６の間に設置されている。
【０００８】
又、コイル１の両端は、リング６の内面に接触している外周縁を持つ環状平板７によりカバーされている。環状平板７は、中央に、非磁性チューブ２の直径より大きい直径の穴が明いている。リング６は、こうして、非磁性チューブ２との間で、非磁性ギャップによる間隔を空けて設置されている。
【０００９】
電磁アクチュエータ組立体は、例えば、リングと平板を正しい場所に保持する樹脂成型ケースのような遮蔽ケース８により囲繞されている。
【００１０】
永久磁石５から発生する少量の磁力線は、コイルへ電力供給が無い時でも、磁性アクチュエータ部材の重量が、永久磁石により発生する吸引力によりある程度補われる（見かけ上、軽くなる）ように、図１において細い鎖線で示されるループの周りで伸びている。コイル１が励起した時、コイル１は磁性アクチュエータ部材３を上方へ動かす磁界を更に追加して発生させる。
【００１１】
少量の磁力線が、アクチュエータ部材の行程を長くするように、非磁性ギャップから逃げる。ループしない少量の磁力線を減らしたり増やしたりするために、非磁性ギャップは、環状平板の中央穴を小さくしたり大きくしたりして、その大きさを減らしたり増やしたりされる。
【００１２】
本発明に係るアクチュエータは、コイルの両端に磁性材料の平板７が設置されていると記述しているが、平板７無しで作ることも可能である。磁性材料の平板７は、全部あるいは一部を非磁性材料の平板で置換えても良い。
【００１３】
同様に、永久磁石５の近くに複数の磁性材料のリング６が対称となる構成が示されているが、アクチュエータの用途に応じてアクチュエータの特別な動きを得るために、対称となる構成を変更することも可能である。
【００１４】
本発明は、リング形状の永久磁石を有しているが、コイル１の外面にまたがって設置された一連の棒磁石を使用することも可能である。
【００１５】
案内部材は、チューブ形状で記述されているが、他の形状にすることも可能である。例えば、滑り路（ slideways ）の形状である。
【図面の簡単な説明】
【００１６】
【図１】本発明に係る電磁アクチュエータの断面図を示す。
【図１】
2005535106.tif 000003
【国際調査報告】
2005535106.tif 000004
2005535106.tif 000005
2005535106.tif 000006
2005535106.tif 000007
(57)【要約】２つの部材（１，２）を備え、一方の部材は他方の部材に嵌挿され、下方の部材（１）はネジ穴（３）を備え、上方の部材（２）は固定ネジ（４）を収容する通路オリフィス（９）を備えた、外科手術用のインプラント又は器具である。本発明では、組みネジ（５）はその全長が上方の部材（２）よりも下方に位置するようにネジ穴（３）に収容されており、その上端には、ねじ込み部（５）よりも細くかつネジ回し用の溝（７）を備えたドックポイントを有しており、通路オリフィス（９）の直径がねじ込み部の直径より小さく、かつドッグポイント（６）の直径より大きい。弾性装置（８）を設けることが好ましく、それは固定ネジをその固定位置に押し込む働きをする。
2005535421.tif 000002
【特許請求の範囲】
【請求項１】
２つの部材（１，２）を備え、一方の部材は他方の部材に嵌挿され、下方の部材（１）はネジ穴（３）を備え、上方の部材（２）は固定ネジ（４）を収容する通路オリフィス（９）を備えた、外科手術用のインプラント又は器具において、
組みネジ（５）はその全長が上方の部材（２）よりも下方に位置するようにネジ穴（３）に収容されており、その上端には、ねじ込み部（５）よりも細くかつネジ回し用の溝（７）を備えたドックポイントを有しており、
通路オリフィス（９）の直径がねじ込み部の直径より小さく、かつドッグポイント（６）の直径より大きいことを特徴とする外科手術用のインプラント又は器具。
【請求項２】
上記ネジ穴（３）が盲穴であることを特徴とする請求項１記載のインプラント又は器具。
【請求項３】
上記固定ネジ（４）とネジ穴（３）が、固定ネジ（４）がネジ穴（３）から下方に抜けないように固定する相互作用型の下降防止部を有することを特徴とする請求項１又は２に記載のインプラント又は器具。
【請求項４】
上記固定ネジ（４）を固定位置に押し込む弾性装置（８）を有することを特徴とする請求項１から３のいずれか一つに記載のインプラント又は器具。
【発明の詳細な説明】
【技術分野】
【０００１】
本発明は、固定ネジを備えた外科手術用のインプラント又は器具に関する。
【背景技術】
【０００２】
外科手術用のインプラント又は器具は、２つの相互に変位可能な案内部材を、変位しないように固定するために頻繁に必要とされる。通常、この固定は、２つの部材の内の上方の部材に設けられた通路オリフィスを貫通して２つの部材の内の下方の部材のネジ穴の中に、固定ネジをその頭部が２つの部材の内の上方の部材の上面にしっかりと固定されるまでねじ込むことにより行われる。
【発明の開示】
【発明が解決しようとする課題】
【０００３】
この方法には、ネジが紛失し易いという問題があり、限られた手術部位においては重大な結果をもたらす場合もある。
【課題を解決するための手段】
【０００４】
本発明は、この問題を解決するものである。それは、２つの部材の内の下方の部材のネジ穴と、上方の部材の通路オリフィスを提案するものでもある。固定する目的のため、本発明は、組みネジ（set screw）として構成され、その全長がネジ穴の中に収まるネジ（あらゆる場合において、２つの部材の内の上方の部材の下面よりも下になる）を採用する。そのネジは、ネジ回し用の溝を有する、上方の細いドッグポイント（dog point）を備えている。通路オリフィスの直径は、ねじ込み部の直径より小さく、ドッグポイントの直径よりも大きい。
【０００５】
部材同士を結合する前に、ネジをネジ穴にねじ込むが、ネジの形が完全に見えなくなるまで、又は２つの部材の内の上方の部材がその上に嵌挿可能な程度まで深くねじ込む。次いで、ネジ回しを上方部材の通路オリフィスを貫通させて係合させ、ネジを回してドッグポイントが通路オリフィスの中に位置するまで上昇させる。この状態で、２つの部材は、互いに変位しないように固定されている。ねじ込み部の直径が通路オリフィスの直径よりも大きいので、ネジは上方に抜けることはない。ネジ穴は、便宜上盲穴として形成しても良く、あるいはネジが下側に抜けるのを防止するため、ネジと下方の部材に下降防止部を設けることもできる。
【０００６】
ネジは、通常、締め付けられた状態で固定位置に保持されている。すなわち、ねじ込み部の端部は、固定される２つの部材の内の上方の部材側に締め付けられている。ネジ穴に後退しようとする固定ネジを固定するのにより効果的な方法は、弾性力、例えばバネを用いて下側から付勢することである。
【０００７】
本文及びクレームで用いる「上方へ」及び「下方へ」という用語は、測地学的な高さの意味に解釈されるべきではなく、固定ネジを探して近づく観察者に対する位置を意味している。下側の部分とは、一般的に、上側の部分により覆われる部分である。
【発明を実施するための最良の形態】
【０００８】
本発明を、図面を参照して詳細に説明するが、その図面には好適な実施例の断面図が描かれている。
【０００９】
ボルト１は、わずかに大きな直径を有しボルトの上に突き出ているスリーブ２に結合している。それらの対向面は、それらの長軸のみが平行なその２つの部材間の相対移動を許容する案内部を提供している。
【００１０】
ボルト１は、その長軸を横切って延在するネジ穴３を有している。ネジ込みネジ４は、ねじ込み部５と上方のドッグポイント６を備え上記のネジ穴３の中に位置しており、上方のドッグポイント６は、ネジ回しとの係合のためにスリット又は六角形のソケットを備えている。ドッグポイント６の直径は、ねじ込み部５の直径よりも小さい。圧縮バネ８は、ネジ穴３の底部とネジ４の底部の間に配置されている。ネジ穴３の長さは、圧縮バネ８を収容するのに必要な長さを除いて、ネジ４の長さよりも大きい。部材２の通路オリフィス９の直径は、ねじ込み部の直径より小さく、ネジ４のドッグポイント６の直径よりも大きい。
【００１１】
組立前には、ネジ４は、ネジ穴３の中に完全に沈み込んだ状態にある。少なくとも、部材１と２の対向面の間の遊びに対応する距離以上にネジ穴３から突出すべきではない。次いで、部材１と２を互いに押し込み一体化して、通路オリフィス９がネジ４の上に位置するようにする。次いでネジ回しを用いてネジ４を緩め、ドッグポイント６が通路オリフィス９の内側に位置するようにする。必要により、ねじ込み部５の肩が通路オリフィス９の縁に十分密着した状態になるまで、ネジ４を回すこともできる。
【００１２】
バネ８が存在する場合には、後者は必須ではない。これは、バネはネジ４を上方に押圧するので、どのような力が加わってもネジがネジ穴３の中に沈み込むことがないからである。
【００１３】
バネ８はコイルバネの例を示したが、他のバネ手段、例えば合成弾性材料から成る発泡プラグ（foam plug）を用いることもできることは理解されるであろう。
【図面の簡単な説明】
【００１４】
【図１】好適な実施例の断面図である。
2005535421.tif 000003
【国際調査報告】
2005535421.tif 000004
2005535421.tif 000005
2005535421.tif 000006
2005535421.tif 000007
2005535421.tif 000008
2005535421.tif 000009
(57)【要約】本発明はローターブレード、特に風力発電プラントのローターブレードに関する。本発明の目的は、それを用いて、風力発電プラントのローターブレードの音響パワーレベルと同様、ＣＷ値（抗力係数）をさらに一層改善できる手段を提供することである。風力発電プラント用の本発明のローターブレードは送出し面と導入面とを有し、これによって本質的に一定な全体的静電界が導入面に形成される。【特許請求の範囲】
【請求項１】
風力発電設備用のローターブレードであって、正圧面および負圧面を具備し、
実質的に一定な、領域を覆う静電界が前記負圧面に形成されることを特徴とする風力発電設備用ローターブレード。
【請求項２】
前記電界は、前記ローターブレードの前記負圧面の、前記ローターブレード前縁と前記ローターブレード後縁との間の領域に形成されることを特徴とする請求項１に記載のローターブレード。
【請求項３】
前記ローターブレードの前記負圧面上のネットワーク状導体構造体はマトリックスを形成し、隣接する導体同士の間隔は２ないし１０ｍｍの間の範囲にあり、好ましくは４ｍｍ以下であることを特徴とする請求項１または請求項２に記載のローターブレード。
【請求項４】
前記ネットワーク状導体構造体に印加される電圧は、−２ないし−６ｋＶの間の範囲にあり、好ましくは約−４ｋＶ以下であることを特徴とする請求項１ないし請求項３のいずれか１項に記載のローターブレード。
【請求項５】
請求項１ないし請求項４のいずれか１項に記載の少なくとも一つのローターブレードを具備してなる風力発電設備。
【請求項６】
ＤＣ電圧供給手段によって前記ローターブレードのネットワーク状の導体構造体に所望のＤＣ電圧が印加されることを特徴とする請求項６に記載の風力発電設備。
【発明の詳細な説明】
【技術分野】
【０００１】
本発明はローターブレード、特に風力発電設備のローターブレードに関する。
【背景技術】
【０００２】
この種のローターブレードとしては多くの異なる形態が公知である。通常は、作動中、それが可能な限り低い音響パワーレベルを有し、その上、ローターブレードによって生じる風力エネルギーの損失量が非常に小さくなるような低い空気抵抗値を呈するように、風力発電設備のローターブレードの設計が試みられる。
【０００３】
通常、音響パワーレベルを低減するため、そしてまたＣＲ値（抵抗係数）を低減するために採用されるアプローチは、ローターブレードに関して適切に対応した外形設計の変更または改良である。
【発明の開示】
【発明が解決しようとする課題】
【０００４】
本発明の目的は、風力発電設備のローターブレードのＣＲ値およびさらにその音響パワーレベルをさらに一層改善するための方策を提供することである。
【課題を解決するための手段】
【０００５】
本発明は請求項１の特徴を持つローターブレードによって達成される。有利な展開は付随する請求項で言及されている。
【０００６】
本発明では、ローターブレードの少なくとも負圧面上に電界を形成する。この電界は好ましくは、ローターブレードのトップ側において、たとえば約−４ｋＶの電圧を持つ静電界である。電界は、ローターブレードの前縁から後縁までの領域にローターブレード先端領域におけるローターブレードの少なくとも３０％で、すなわちローターブレードのローターブレード基端から最も遠く離れた領域に形成される。
【０００７】
好ましくは、電界を形成するためローターブレードの負圧面上にネットワーク状導体構造体が設けられる。このネットワーク状導体構造体は導体マトリックス（たとえば銅製のもの）からなっていてもよく、この場合は、複数の導体が相互に並置された互いに交差する関係でメッシュ形状に配置され、そして互いに平行な間隔は約１ないし１０ｍｍの間の範囲内にあり、好ましくは４ｍｍ以下の範囲内にある。
【０００８】
これまでに驚くべきことに、約−２ないし−１０ｋＶの間、好ましくは約−４ｋＶの大きさの電界を印加することで、ローターブレードの電力値が、約１０ないし１５％の間の、好ましくは１２％の率まで増大することが見出された。同時に、本発明によるローターブレードの音響パワーレベルが約１ｄＢ以下だけ低減された。
【０００９】
負圧面上に電界を維持するため、長さ約２０ｍのローターブレードではローターブレード当たり約５ｋＶの電力を供給する必要があり、ローターブレード長が約３２ｍでは、電力はローターブレード当たり約１５ｋＶでなければならない。
【発明を実施するための最良の形態】
【００１０】
以下のグラフは、電界の電圧に依存するＣＲ値の特性および電界の電圧に依存するパワー係数（Ｃｐ）の特性を示す。
【００１１】
【表１】
2005539176.tif 000002
【００１２】
【表２】
2005539176.tif 000003
【００１３】
【表３】
2005539176.tif 000004
【００１４】
この点に関して、パワーＣＲの係数がそれぞれ４ｋＶおよび３．９ｋＶで最大値としてのパワー値に達し、そしてそれぞれ３．９および４ｋＶ未満の電圧値で再び低下することがわかる。
【００１５】
たとえば同じ方向のまたは反対の関係の電圧を持つ電界をローターブレードの正圧面に形成できる。
【００１６】
ローターブレードに対する電界の適用は、ローターブレードと風力発電設備内の電圧すなわち電荷供給装置(charge supply device)との間の電気的接続によってなすことができる。好ましくは上記電気的接続を断つための手段が設けられる。この手段はスイッチの形態とすることができ、このスイッチはローターブレードに対する電気的隔離を既に、ローターブレード基端またはハブにおいて、または風力発電設備内で可能にする。電気的接続部に一つ以上のスイッチを設けることもまた可能である。
【００１７】
電圧（電荷）供給手段とローターブレードとの間の電気的隔離は好ましくは、雷雨が接近している場合に遮断される。この点で、対応する雷雨状況が感知された場合、遮断が自動的に行われるようにすることもまた可能である。これはたとえば激しい電力変動に基づいて判断できる。なぜなら風力発電設備の激しい電力変動または風の激しい変動は、たいてい雷雨に先行する突風の兆候だからである。だが、雷雨の接近を大気中の電圧の計測によって検出することも可能である。通常、そうした電圧は雷雨が接近したときに上昇（降下）し、それゆえそうした雷雨の比較的信頼できる兆候として採用できる。
【００１８】
したがってローターブレードと電圧供給手段との間の電気的離隔によって電界を消滅させることは風力発電設備全体の、特にローターブレードの保護に役立つ。既に公知でありかつそれを用いて雷雨の接近を検出できる他の手段を用いて、電圧供給手段の対応する遮断を制御することもまた可能であることが理解されるであろう。
【国際調査報告】
2005539176.tif 000005
2005539176.tif 000006
2005539176.tif 000007
2005539176.tif 000008
2005539176.tif 000009
2005539176.tif 000010